(57)【要約】【課題】  置き方を変えても設置スペースの省スペース化が図れるようにした据置型情報処理装置を提供すること。【解決手段】  据置型情報処理装置１は、内部に内蔵機器の収容空間を有する直方体の筐体の一面に凹状段部が設けられ、その凹状段部の底部に配線接続部が配置され、凹状段部の端縁部に、配線接続部を覆う扉２５が回動自在に取り付けられ、凹状段部が設けられた面が側面となる向きで設置された状態における筐体の背面に、扉２５が閉ざされた状態で配線接続部に接続されたケーブル３１を背面側に取り出せる配線取出口２６０が形成されている。【選択図】        図５
2005303118.tif 000002
【特許請求の範囲】
【請求項１】
内部に内蔵機器の収容空間を有する直方体の筐体と、
前記筐体の一面に設けられた凹状段部と、
前記凹状段部の底部に設けられた配線接続部と、
前記凹状段部の端縁部に取り付けられ、前記配線接続部を覆う閉位置と前記配線接続部を露出させる開位置との間を回動自在な扉と、
前記筐体における前記一面に連接される面に前記凹状段部を露出させて、前記扉が閉位置にある状態で前記配線接続部に接続されたケーブルを取り出せる開口と
を備えることを特徴とする据置型情報処理装置。
【請求項２】
前記扉は、前記端縁部に着脱自在に取り付けられている
ことを特徴とする請求項１に記載の据置型情報処理装置。
【請求項３】
前記凹状段部の前記底部に着脱自在に設けられるケーブルガイドを備え、
前記ケーブルガイドは、前記配線接続部から前記開口に向けて屈曲され、前記ケーブルが通される内部空間を有する
ことを特徴とする請求項１に記載の据置型情報処理装置。
【請求項４】
前記筐体の底面、上面、前記一面、前記一面に対向する面、前記開口を介して前記ケーブルを取り出せる面及びこの面に対向する面の全てに吸排気用開口が形成されている
ことを特徴とする請求項１に記載の据置型情報処理装置。
【請求項５】
前記吸排気用開口のうち、吸気用開口の面積は排気用開口の面積よりも大きい
ことを特徴とする請求項４に記載の据置型情報処理装置。
【請求項６】
前記底面に取り付けられた台座を備え、
前記台座は、その側面に形成された吸気用開口と、
前記台座の内部に設けられ、前記筐体の底面の吸気用開口と、前記台座の側面の吸気用開口とを連通させる内部空間とを有する
ことを特徴とする請求項４に記載の据置型情報処理装置。
【請求項７】
前記開口を介して前記ケーブルを取り出せる面に対向する面に取り付けられ、該対向する面に形成された吸気用開口との間に間隙を形成して前記吸気用開口を覆う板状の外装部材を備える
ことを特徴とする請求項４に記載の据置型情報処理装置。
【請求項８】
内部に内蔵機器の収容空間を有する直方体の筐体と、
前記筐体の一面に内設された光ディスク装置と、
前記一面に設けられ、前記光ディスク装置のディスクトレーを出没自在とさせるための凹所と
を備えることを特徴とする据置型情報処理装置。
【請求項９】
前記一面に設けられ、前記凹所を覆う閉位置と前記凹所を露出させる開位置との間を移動自在なシャッターを備える
ことを特徴とする請求項８に記載の据置型情報処理装置。
【請求項１０】
前記筐体の底面、上面、前記一面、前記一面に対向する面、前記開口を介して前記ケーブルを取り出せる面及びこの面に対向する面の全てに吸排気用開口が形成されている
ことを特徴とする請求項８に記載の据置型情報処理装置。
【請求項１１】
前記吸排気用開口のうち、吸気用開口の面積は排気用開口の面積よりも大きい
ことを特徴とする請求項１０に記載の据置型情報処理装置。
【請求項１２】
前記底面に取り付けられた台座を備え、
前記台座は、その側面に形成された吸気用開口と、
前記台座の内部に設けられ、前記筐体の底面の吸気用開口と、前記台座の側面の吸気用開口とを連通させる内部空間とを有する
ことを特徴とする請求項１０に記載の据置型情報処理装置。
【請求項１３】
前記開口を介して前記ケーブルを取り出せる面に対向する面に取り付けられ、該対向する面に形成された吸気用開口との間に間隙を形成して前記吸気用開口を覆う板状の外装部材を備える
ことを特徴とする請求項１０に記載の据置型情報処理装置。
【発明の詳細な説明】
【技術分野】
【０００１】
本発明は、いわゆるタワー型コンピュータと呼ばれる据置型情報処理装置に関し、詳しくは、複数通りの設置向きに対して便宜よく対応できるように設計された据置型情報処理装置に関する。
【背景技術】
【０００２】
従来より、直方体形状の筐体の内部にマザーボード、ハードディスク装置、光ディスク装置などを内蔵し、例えば机上に縦置きされるタワー型コンピュータが普及している。例えば特許文献１参照。
【特許文献１】特開２００２−１０８５０１号公報
【発明の開示】
【発明が解決しようとする課題】
【０００３】
一般にタワー型コンピュータでは、図２０に示すように光ディスク装置本体３０１は筐体３０４の内部に収容されるが、その光ディスク装置本体３０１からディスクトレー３０２が引き出されると筐体３０４の外部に飛び出す構成となっている。これでは、例えば図２０に示されるような向き、すなわちディスクトレー３０２が飛び出す側の面が側面となるように設置すると、筐体３０４の外形寸法以外にディスクトレー３０２の飛び出すスペースも考慮に入れてそのタワー型コンピュータの設置スペースを確保しなければならない。
【０００４】
特に最近のパーソナルコンピュータではテレビチューナーや大容量の記録装置を搭載したものが多くなってきており、今までのように机上に設置することに限らず例えばリビングルームの床の上に置かれることも多くなると予想される。床の上は机上のような狭く限られたスペースと違って広いため、タワー型コンピュータの置かれる向きの選択肢も広がる。例えば、通常机上に置かれる場合に側面となっていた面積の広い面を、図２０に示すように正面や背面とし、その背面となった面を壁に寄せて置いたりすることも考えられる。特に最近は薄型テレビが普及してきており、その薄型テレビの隣りに、薄型テレビと同様奥行きが最も小さくなる向きでもって壁に寄せて置くことが予想される。
【０００５】
そのような置き方の場合に、図２０に示すように、側面となる部分からディスクトレー３０２が飛び出したり、あるいはケーブル３０３が延出されていたりすると、タワー型コンピュータのフットプリント以外のスペースを側面側に確保しなければならず、設置スペースの省スペース化が図れない。例えば、タワー型コンピュータの側面をテレビや家具にすぐ寄せて配置できない。
【０００６】
本発明は上述の問題に鑑みてなされ、その目的とするところは、置き方を変えても設置スペースの省スペース化が図れるようにした据置型情報処理装置を提供することにある。
【課題を解決するための手段】
【０００７】
本発明の据置型情報処理装置は、内部に内蔵機器の収容空間を有する直方体の筐体と、この筐体の一面に設けられた凹状段部と、この凹状段部の底部に設けられた配線接続部と、凹状段部の端縁部に取り付けられ、配線接続部を覆う閉位置と配線接続部を露出させる開位置との間を回動自在な扉と、筐体における上記一面に連接される面に凹状段部を露出させて、扉が閉位置にある状態で配線接続部に接続されたケーブルを取り出せる開口とを備えることを特徴としている。
【０００８】
上記筐体の一面に設けられた配線接続部に接続されるケーブルが上記開口を介して取り出される側を、例えば壁などに寄せて背面となるように情報処理装置を設置した場合には、上記配線接続部に接続されたケーブルはそのまままっすぐに延ばすと、情報処理装置の側方に延出されるが、扉を閉めることによってそれらケーブルを背面側に取り出すことができる。
【０００９】
すなわち、扉を、上記凹状段部の端縁部を支点に回動させて、配線接続部を覆うように閉めると、その扉によって上記ケーブルの側方への延出が規制されると共に、ケーブルの可撓性を利用してケーブルを曲げることで背面側に延出方向を変えることができる。
【００１０】
扉の閉状態では、上述の曲げられたケーブルは凹状段部底部と扉内面との間の空所に納められ、背面側に開口された開口から情報処理装置の背後に向けて延出される。
【００１１】
以上のことにより、情報処理装置が上述した向きで設置された場合には、情報処理装置の側方にケーブル引き出しのためのスペースが不要になるのでそのすぐ横に他の家電製品や家具などを寄せて置くことができ、設置スペースの省スペース化が図れる。
【００１２】
また、上記一面が背面になるような向きで設置した場合には、扉を開ければ、配線接続部に接続されたケーブルをそのまままっすぐ、この場合の設置状態における背面側へと延出させることができ、この場合にも情報処理装置の側方にケーブル引きだしのためのスペースを確保しなくてよい。
【００１３】
また、上記扉を凹状段部の端縁部に着脱自在に取り付ければ、扉を開けた状態で置く場合において、扉を取り外すことで扉の展開スペースを不要とでき、情報処理装置の設置に必要なスペースの省スペース化が図れる。
【００１４】
また、凹状段部の底部に、配線接続部から開口に向けて屈曲された内部空間を有するケーブルガイドを装着して、そのケーブルガイドの内部空間内をケーブルが通されるようにすれば、比較的太くて可撓性の小さいケーブルであっても、ケーブルガイドの上記内部空間内を通されることで延出方向が背面側に変えられ、その際にケーブルは閉じられた扉の内面に対しては当接しないので扉に過剰な負荷を与えることがない。
【００１５】
また、筐体の底面、上面、上記一面、この一面に対向する面、上記開口を介して上記一面に接続されたケーブルが取り出される面及びこの面に対向する面の全てに吸排気用開口を形成すれば、設置向きによって例えばある面が他の機器や家具に寄せられてその面に対向する空間を十分に確保できなくなっても他の面を通じて十分な吸排気を行うことができる。また、直方体の筐体の６面全てを用いて筐体内部の換気を行うことで、換気効率を高めて、内蔵機器や部品の空冷効果を高めることができる。
【００１６】
上記吸排気用開口のうち、吸気用開口の面積を排気用開口の面積よりも大きくすれば、吸気速度をそれほど大きくすることなく内蔵機器の空冷に十分な換気を行え、塵埃の筐体内部への吸い込みを抑制できる。
【００１７】
さらに、筐体の底面に吸気用開口を形成し、その底面に台座を取り付け、この台座の側面に吸気用開口を形成して、台座の内部に、筐体の底面の吸気用開口と、台座の側面の吸気用開口とを連通させる空間を確保すれば、筐体底面に吸気用開口を形成してもそれが設置面によって塞がれることなく情報処理装置の底面からも吸気を行え空冷効率を高めることができる。
【００１８】
また、正面とされる面に形成された吸気用開口との間に間隙が形成されるようにその吸気用開口を覆う板状の外装部材を筐体正面に取り付ければ、外装部材に覆われて正面側の吸気用開口が露出されないので、筐体の内部空間に配設された吸排気用のファンの騒音が正面側の吸気用開口から直接使用者に対して放音されることを防げる。
【００１９】
また、本発明の据置型情報処理装置は、内部に内蔵機器の収容空間を有する直方体の筐体と、この筐体の一面に内設された光ディスク装置と、その一面に設けられ、光ディスク装置のディスクトレーを出没自在とさせるための凹所とを備えることを特徴としている。
【００２０】
このような構成のため、ディスクトレーは、光ディスク装置の本体から引き出されても、情報処理装置の筐体から飛び出ない。したがって、情報処理装置を設置するにあたって、情報処理装置のフットプリント以外にディスクトレー引き出しスペースを別途確保する必要がなく、設置に必要なスペースの省スペース化が図れる。
【００２１】
また、上記凹所を覆う閉位置と、その凹所を露出させる開位置との間をスライド移動自在なシャッターを、上記筐体の一面に設ければ、その凹所をシャッターによって覆うことができるので、凹所にゴミやほこりなどの異物が入り込むことを防げる。凹所に異物が入ってディスクトレーのスライド移動を妨げてしまうことを防げる。
【発明の効果】
【００２２】
本発明の据置型情報処理装置によれば、例えば机上に設置された状態で背面とされていた面を側面となるように床の上などに設置場所を変えても、ケーブルを情報処理装置の背後に延出させることができる。これにより、正面側から見てケーブルが見えず見栄えを損ねず、また情報処理装置の側方にケーブル引き出しのためのスペースを確保する必要がなく、設置スペースの省スペース化が図れる。また、ディスクトレーが光ディスク装置本体から引き出されても筐体の外部に飛び出さずに、筐体のある一面内でスライド移動される構成とすれば、筐体の外形寸法以外にディスクトレーの飛びしを許容するためのスペースを確保しなくて済み、このことによっても情報処理装置の設置スペースの省スペース化が図れる。
【発明を実施するための最良の形態】
【００２３】
図１は本発明の実施形態に係る据置型情報処理装置１（以下、単に情報処理装置ともいう）の外観斜視図を示す。図４は図１の反対側から見た斜視図を示す。図２、図３はそれぞれ、情報処理装置１の正面図、上面図である。情報処理装置１は、いわゆるタワー型パーソナルコンピュータの本体である。
【００２４】
情報処理装置１は、筐体２及び３が組み合わされなる直方体形状の外部筐体を有し、その外部筐体は台座８によって設置面上に支持される。
【００２５】
筐体２は、前板部２ａと、前板部２ａの縁部を囲むように設けられた上板部２ｂ、側板部２ｃ、２ｄとからなる箱型形状を呈している。前板部２ａには四角形状の開口２ｅが形成されている。開口２ｅは、前板部２ａの上半分ほどの領域であって側板部２ｄ寄りの箇所に形成されている。また、前板部２ａには、開口２ｅを開閉するためのシャッター６が設けられている。シャッター６は、図１、２に示される閉位置と図１６に示される開位置との間を上下に駆動される。
【００２６】
開口２ｅの上縁部の近傍であって、上板部２ｂと前板部２ａとの角部には、各種押しボタン１１、１２、１３が配設されている。押しボタン１１と１２との間にはスペーサ１６が、押しボタン１２と１３との間にはスペーサ１７が設けられている。これらスペーサ１６、１７は押されても筐体内部に押し込まれず、押しボタンとしては機能しない。スペーサ１７には発光窓部１８が設けられている。
【００２７】
筐体２において下半分ほどの部分には板状の外装部材４が取り付けられている。外装部材４は、筐体２の前板部２ａの下半分を覆う前板部４ａと、筐体２の側板部２ｄの下方の領域を覆う側板部４ｄとからなる。前板部２ａの下半分の部分には、筐体内部と連通される多数の吸気用開口５６（その一部が図１０、１１、１７に示される）が形成されており、その吸気用開口５６を塞がないように外装部材４の前板部４ａは、筐体２の前板部２ａとの間に間隙を形成して向き合わされている。外装部材４の側板部４ｄも、筐体との間に間隙を形成して向き合わされている。
【００２８】
筐体３は、背板部３ａと、背板部３ａの縁部を囲むように設けられた上板部３ｂ、側板部３ｃ、３ｄとからなる箱型形状を呈している。
【００２９】
図４に示すように、背板部３ａには排気用開口３８、３９、４０が形成されている。また、背板部３ａには、オーディオ端子、ビデオ端子、その他各種コネクタ３７が露出されている。
【００３０】
上述した外部筐体は例えば樹脂材料からなり、その内部には、図１４に示す内部筐体１４３が内蔵されている。内部筐体１４３は、例えば金属材料からなり、情報処理装置１の剛性を高める補強部材及び内蔵機器の取付部材として機能する。
【００３１】
内部筐体１４３は、背板部１７２と、背板部１７２の縁部を囲むように設けられた上板部１４４と、側板部１４５、１４８、１４７と、底板部１４６とからなる箱型形状を呈している。側板部１４５と１４８との間には段差があり、側板部１４５は側板部１４８よりも外方に出っ張っている。これにより、側板部１４５の下方には凹状段部が形成されている。その凹状段部の底部が側板部１４８となる。
【００３２】
上板部１４４には吸気用開口１６７が多数の小孔として形成されている。側板部１４５には吸気用開口１５１が多数の小孔として形成されている。側板部１４７には吸気用開口１６６、１６２が多数の小孔として形成されている。
【００３３】
側板部１４８には排気用開口１５３、１５４が多数の小孔として形成されている。さらに、側板部１４８には、配線接続部である各種コネクタを露出させるための開口４３、４４、１４９が形成されている。
【００３４】
底板部１４６には吸気用開口１５５が多数の小孔として形成されている。また、底板部１４６には、吸気と内部筐体１４３の軽量化を図るための開口１５９、１６０、１６１が形成されている。さらに、底板部１４６には、内部筐体１４３内に配設されたチューナーの入力端子を露出させるための開口１５６、１５７、１５８が形成されている。
【００３５】
背板部１７２には、吸気と内部筐体１４３の軽量化を図るための開口１５２、１６５、１６４、１６３が形成されている。また、背板部１７２において、開口１６５が形成された領域は内部筐体１４３内に収容される内蔵機器であるハードディスク装置の取付領域であり、その領域には、図１５に示すように複数のハードディスク装置を収容した枠体１２１が引っ掛けられるようにして着脱自在に取り付けられる４つの掛止部１６８が、背板部１７２の内面側に突出して設けられている。さらに、そのハードディスク装置取付領域の上部には、横長の係合孔１６９が形成されており、その係合孔１６９には、上記枠体１２１が掛止部１６８に掛止された状態でその枠体１２１の移動を規制するためのロック部材が差し込まれる。
【００３６】
内部筐体１４３の内部には、ハードディスク装置の他にも、光ディスク装置、マザーボード、チューナーボード、電源ユニットなどの各種内蔵機器が配設される。
【００３７】
内部筐体１４３の一面である側板部１４８には、図５に示す配線接続板２７及び扉２５が取り付けられる。図６にその配線接続板２７及び扉２５の拡大図を示す。
【００３８】
配線接続板２７には、内部筐体１４３の側板部１４８に形成された開口４３、４４、１４９を露出させるための開口２５３が形成されている。開口４３からは、例えばＬＡＮ（Local Area Network）端子が露出される。開口４４からは、例えば外部ディスプレイへの出力端子が露出される。開口１４９からは、例えば図６に示すように３個のＵＳＢ（Universal Serial Bus）端子４５が露出される。また、配線接続板２７において、内部筐体１４３の側板部１４８に形成された排気用開口１５４に対応する箇所には、排気用開口２５４が形成されている。
【００３９】
上記開口２５３の下方には膨出部４６が設けられ、この膨出部４６の内部には、例えばＡＣ（Alternating Current）電源の入力端子が設けられている。
【００４０】
配線接続板２７の下端縁部には、図７に示されるように、切欠き５３、５４、５５が形成されている。切欠き５３には軸部材５１が設けられている。切欠き５４と切欠き５５との間には軸部材５２が設けられている。両軸部材５１、５２は互いに平行に延在しており、その延在方向は側板部１４８の短手方向に沿う方向である。
【００４１】
配線接続板２７の上端縁部近傍には２つの係止孔３０が設けられている。係止孔３０には、扉２５が閉位置にある状態で扉２５に形成された係止爪３２が係合され、これにより扉２５は閉位置にロックされる。
【００４２】
図８は扉２５のみの斜視図を示す。扉２５は平面視で矩形状を呈する。扉２５の内面には長手方向に沿ったリブ４８が形成されている。リブ４８を挟んだ２領域のうち一方の領域は開口の形成されていない盲板部３３となっている。他方の領域には、開口４７が形成されている。
【００４３】
扉２５の長手方向に沿って見た一方の端部には係止爪取付部２５６が設けられている。係止爪取付部２５６には、この内部に配設されたコイルばねによって、上記配線接続板２７に設けられた係止孔３０に対して係合する方向（図８において上方）に付勢された２つの係止爪３２が設けられている。係止爪取付部２５６の端部に突出して設けられた操作ボタン２５５を押すと、両係止爪３２を上記付勢力に抗して図８において下方へと移動させることができる。
【００４４】
扉２５の長手方向に沿って見た他方の端部には、配線接続板２７に対する取付部４１、４２が設けられている。取付部４１、４２には、それぞれ、断面Ｃ字状の湾曲凹所４１ａ、４２ａが形成されている。湾曲凹所４１ａ、４２ａには、それぞれ、上記配線接続板２７の下端縁部に設けられた軸部材５２、５１が嵌まり込む。これにより、扉２５が配線接続板２７に連結され、なおかつ、軸部材５２、５１の外周面に対して湾曲凹所４１ａ、４２ａの内周面が摺動することで、扉２５は軸部材５２、５１を支点に回動可能とされる。
【００４５】
また、一方の取付部４１は弧状突起４１ｂを備える。弧状突起４１ｂの外周面には多数の歯が形成されている。扉２５が配線接続板２７に取り付けられると、弧状突起４１ｂは、上記軸部材５２の上方に形成された切欠き５５に入り込んで、弧状突起４１ｂの歯と、切欠き５５の内方に設けられたギア（図示せず）の歯とが歯合する。
【００４６】
上記ギアは、その中心軸を中心に回転自在に設けられており、扉２５が、配線接続板２７の内面を覆う閉位置から配線接続板２７の内面を外部に露出させる開位置に向けて、軸部材５２、５１を支点に回動される際に、扉２５が重力の作用により勢い付いて開いてしまわないようにするダンパとして機能する。すなわち、扉２５の開位置への移動の際には、弧状突起４１ｂはこれに形成された歯が歯合している上記ギアを回転させながら切欠き５５から引き出され、このことが扉２５の重力の作用による開位置への移動の抵抗として働き、扉２５が開く速さを減速させる。
【００４７】
以上のように構成される情報処理装置１は、主に、筐体２の前板部２ａを正面にして設置されることを想定して設計されている。例えば、背板部３ａをリビングルームの壁に寄せて、そのリビングルームの床の上に置くというように。このような置き方は設置スペースの奥行きがそれほど大きく確保できない場合に有効である。また、この場合には、上記扉２５は閉じられて配線接続板２７を覆い、各種ケーブルはこれらが接続された面に連接される背面（背板部３ａ）側に引き出されるようにする。
【００４８】
具体的には、側板部１４８の開口４３には例えばＬＡＮ端子が露出され、そのＬＡＮ端子には図５にその一部を示すようにＬＡＮケーブル３１が接続される。また、図６に示されるＵＳＢ端子４５にはＵＳＢケーブルが接続される。各端子は、それがケーブルの接続口であることを使用者に容易に視認させることができるようにまたケーブルの抜き差しを行いやすくするため、その接続口を、前板部２ａを正面にして置かれた情報処理装置１の右方（図面上では向かって見て左方）に向けている。そのような各端子の接続口に接続されたケーブルはそのまままっすぐに延ばすと、前板部２ａを正面にして置かれた情報処理装置１の右方に延出されるが、扉２５を閉めることによってそれらケーブルを背面側に取り出すことができる。
【００４９】
すなわち、扉２５を、軸部材５１、５２との係合部を支点に回動させて、配線接続板２７を覆うように閉めると、その扉２５によって上記ケーブルの右方への延出が規制されると共に、ケーブルの可撓性を利用してケーブルを曲げることで背面側に延出方向を変えることができる。
【００５０】
扉２５が閉じられると、係止爪３２が係止孔３０に挿入され、係止爪３２の段部３２ａ（図８参照）が係止孔３０の開口縁部に引っかかることで抜け止めされ扉２５は閉位置が保持される。
【００５１】
配線接続板２７は、筐体２及び３の側板部２ｃ及び３ｃよりも内方にくぼんだ凹状段部の底部に取り付けられ、また図４に示すように背板部３ａにおいて扉２５に向き合う部分は切り欠かれて開口２６０が形成されているので、扉２５の閉状態では、配線接続板２７と扉２５内面との間に、背面側に開口した空所が確保される。上述の曲げられたケーブルはその空所に納められ、開口２６０から情報処理装置１の背後に向けて延出される。
【００５２】
また、配線接続板２７に形成された膨出部４６（図６参照）の内部にはＡＣ電源入力用のコネクタが設けられ、そのコネクタの接続口３５は図４に示すように上記開口２６０から背面側に向けられている。したがって、その接続口３５にＡＣ電源ケーブルを差し込んだ場合にもそのケーブルは背面側に延出される。
【００５３】
図６に示す開口４４からは、例えばディスプレイへの出力端子が露出される。この出力端子に接続されるディスプレイケーブルは、上記ＬＡＮケーブルやＵＳＢケーブルに比べて太く曲げにくい（可撓性が小さい）。このようなディスプレイケーブルを、扉２５の内面に当接させて延出方向を背面側に変えるとなると、扉２５に対する当接力が大きくなり、扉２５が配線接続板２７の軸部材５１、５２から外れてしまうおそれがある。そこで、ディスプレイケーブルについては、図５に示すケーブルガイド２８を用いてケーブルを曲げて背面側へと延出されるようにしている。
【００５４】
ケーブルガイド２８は、内部にＬ字状の空間が形成されており、その空間の一端側をディスプレイ出力端子に対向させて図５に示す２本のねじ２９にて配線接続板２７に着脱自在に取り付けられる。上記Ｌ字状の空間の他端２８ａ側は図４に示すように、配線接続板２７と扉２５との間の空所の開口２６０から背面側に向けられる。したがって、ディスプレイ出力端子に接続されたディスプレイケーブルは、ケーブルガイド２８内のＬ字状の空間内を通されることで延出方向が背面側に変えられ、その際に扉２５に対しては当接しないので扉２５に過剰な負荷を与えることがない。
【００５５】
以上のことにより、情報処理装置１をその前板部２ａを正面にして設置した場合には、その設置状態で右側面に設けられた配線接続部に接続される各種ケーブルは、全て背面側へと延出させることができ、かつ配線接続部は扉２５によって覆われるので、正面側からはそれらケーブルが見えずに見栄えを損ねない。また、情報処理装置１を上記状態で壁に寄せて床置きした場合には、背面側を人が通ることはないので、床置きされても人が足でケーブルを引っかけてしまうことがない。また、情報処理装置１の右方にケーブル引き出しのためのスペースも不要になるのでそのすぐ横に他の家電製品や家具などを寄せて置くことができ、設置スペースの省スペース化が図れる。
【００５６】
上記情報処理装置１の設置スペースとして、横幅よりも奥行きの方を大きく確保できる場所、例えば机の上などでは、通常のタワー型コンピュータと同じように、横幅の小さい面を正面にして置くこともできる。例えば、本実施形態の情報処理装置１では、筐体２の側板部２ｄ及び筐体３の側板部３ｄを正面にして、これと対向する側板部２ｃ及び３ｃを背面にして置く場合における使い勝手や省スペース化も考慮されている。
【００５７】
具体的には、上記置き方における背面となる配線接続板２７を覆う扉２５を取り外す。これは、扉２５を配線接続板２７の下端縁部に設けられた軸部材５２、５１から引き抜くようにすることで、扉２５の端部に設けられた取付部４１、４２の湾曲凹所４１ａ、４２ａが軸部材５２、５１から外れて扉２５が配線接続板２７から分離される。さらに、配線接続板２７に装着されたケーブルガイド２８も取り外す。
【００５８】
扉２５とケーブルガイド２８が取り外されれば、配線接続板２７に露出された配線接続部である各種コネクタや端子に接続されたケーブルを上記置き方における背面側へとそのまままっすぐ延出させることができる。したがって、それらケーブルは上記置き方における情報処理装置１の背後に隠れて見栄えを損ねることなく、さらに情報処理装置１の側面からケーブルが飛び出さないのでケーブルを引っ掛けてしまう心配もない。
【００５９】
また、上記置き方の場合に、扉２５は図５に示す展開状態になれば上記ケーブルの背面側（図５において向かって見て左方）への延出は妨げないが、扉２５を取り外してしまうことで、情報処理装置１の背後に扉２５の展開スペースを不要とでき、情報処理装置１の設置に必要なスペースの省スペース化が図れる。
【００６０】
図１、１０に示すように、筐体３の側板部３ｄの下方にはスライドドア７が設けられている。スライドドア７は、図１４に示す内部筐体１４３の側板部１４７の下方部分に取り付けられるドアガイド５８（図１１、１２、１３参照）に対して横方向に往復移動可能に支持される。
【００６１】
図１２、１３に示すようにドアガイド５８の下端面には長孔５９、６０が形成されており、スライドドア７の下端部には上記長孔５９、６０にそれぞれ係合するガイドピン６１、６２が設けられている。なお、図示されないドアガイド５８の上端面にも長孔５９、６０が形成されており、これに対応してスライドドア７の上端部にも長孔５９、６０にそれぞれ係合するガイドピン６１、６２が設けられている。
【００６２】
スライドドア７は、図１０、１２に示す閉位置と、図１１、１３に示す開位置との間をスライド移動自在となっている。上記閉位置では、スライドドア７における凹部７ａを境に一方（図１０において右方）側の部分が側板部３ｄの下方に位置してドアガイド５８を覆っており、他方の部分はドアガイド５８と、外装部材４の側板部４ｄの裏面との間に位置され、側板部４ｄによって外部からは見えないようになっている。
【００６３】
開位置では、上記長孔５９、６０によってガイドピン６１、６２がガイドされて、スライドドア７は図１０において左方に移動され、ドアガイド５８に設けられた開口５７（図１１参照）から各種コネクタや端子を露出させる。
【００６４】
図１２、１３に示すように、ドアガイド５８における外装部材４の側板部４ｄによって隠れる部分及び長孔５９は、図１２、図１３において右方から左方にかけて下向き傾斜している。すなわち、筐体３の側板部３ｄ側から外装部材４の前板部４ａ側にかけて、漸次、筐体２の前板部２ａに近づくように傾斜している。したがって、スライドドア７は、開位置へのスライド移動に際しては、外装部材４の側板部４ｄに当たることなくドアガイド５８と側板部４ｄとの間の間隙に入り込むようにして移動される。
【００６５】
上記スライドドア７が開かれた状態で、ドアガイド５８の開口５７から露出される各種コネクタや端子には、図９に示すように各種ケーブル２６が接続される。例えば、ドアガイド５８の開口５７からは、ＩＥＥＥ（Institute of Electrical and Electronics Engineers）、ＵＳＢ、ビデオ入力、マイク、フォンなどのコネクタや端子が露出され、これらには上記配線接続板２７に設けられたＬＡＮケーブル、ディスプレイケーブル、ＡＣ電源ケーブルなどに比べて頻繁に抜き差しされるケーブル２６が接続される。上記ケーブル２６が接続される面は、上述したような筐体２の前板部２ａを正面に向けた置き方でも、配線接続板２７を背面に向けた置き方でも情報処理装置１の背面とならず情報処理装置１の背後に隠れないため使い勝手がよい。
【００６６】
上述した内部筐体１４３の背板部１７２にはマザーボードやチューナーボード、さらには図１５に示すように複数のハードディスク装置を枠体１２１に収容したハードディスクユニットが取り付けられる。さらに、その図１５に示すように、内部筐体１４３において、外部筐体２の前板部２ａと向き合わされる部分には補助取付具９４が取り付けられる。
【００６７】
補助取付具９４は、光ディスク装置の本体が収容される収容凹部９６と、その光ディスク装置の本体から引き出されたディスクトレーが収容される凹所２１を有する。
【００６８】
収容凹部９６の上方にはフック部１０３が設けられており、そのフック部１０３は、内部筐体１４３の上板部１４４と、その上板部１４４の前端縁部と略直角になるように設けられた帯板部１４４ａとの角部に引っ掛けられている。
【００６９】
収容凹部９６の左端縁部にはフランジ部１０１が設けられており、そのフランジ部１０１は、内部筐体１４３の側板部１４５の前端縁部と略直角になるように設けられた帯板部に例えばねじ止めされている。
【００７０】
凹所２１の右端縁部にはフランジ部１０２が設けられており、そのフランジ部１０２は、内部筐体１４３の側板部１４７の前端縁部と略直角になるように設けられた帯板部に例えばねじ止めされている。
【００７１】
例えば上述した外部筐体２の上板部２ｂと前板部２ａとの角部に配置された押しボタン１１を押すと、上記収容凹部９６に収容された光ディスク装置の本体からディスクトレーが凹所２１へと引き出され、外部筐体２の前板部２ａに設けられたシャッター６がそのディスクトレーの動作に連動して自動で下方にスライド移動され、図１６に示すように、凹所２１及びそこに引き出されたディスクトレー２０が前板部２ａの開口２ｅから露出され、ディスクトレー２０に対するディスク状記録媒体の着脱が行える。
【００７２】
なお、凹所２１の上方には、図１６に示すように、各種半導体メモリカードのスロット２２、２３、２４が設けられ、シャッター６が開くとそれらスロット２２、２３、２４に対する半導体メモリカードの挿脱も行える。
【００７３】
上記押しボタン１１を再び押して、ディスクトレー２０が光ディスク装置の本体に装填されるとそれに連動してシャッター６も自動で閉まる。なお、押しボタン１２を押すことで、ディスクトレー２０の動作に関係なく、シャッター６の上下動（開閉動作）を行わせることができる。
【００７４】
以上のように、ディスクトレー２０は、光ディスク装置の本体から引き出されても、図２０に示す従来のように情報処理装置１の筐体から飛び出ない。したがって、情報処理装置１を設置するにあたって、ディスクトレー引き出しスペースを確保する必要がなく、最低限、情報処理装置１の外形寸法よりも少し大きなスペースがあれば情報処理装置１を設置できる。例えば情報処理装置１の側面を、他の機器や家具などに寄せて配置でき、設置スペースの省スペース化が図れる。
【００７５】
また、凹所２１及びスロット２２、２３、２４をシャッター６によって覆うことができるので、それら凹所２１及びスロット２２、２３、２４にゴミやほこりなどの異物が入り込むことを防げる。凹所２１に異物が入ってディスクトレー２０のスライド移動を妨げてしまうことを防げる。また、シャッター６は体裁板としても機能しシャッター６が凹所２１を覆うことで見栄えも損ねない。
【００７６】
また、光ディスク装置のディスクトレー２０の引出口が外部に露出していると、空冷用の吸気によってディスクトレー２０と引出口との隙間から塵やほこりが本体内に吸い込まれるおそれがあるが、本実施形態ではディスクトレー２０の引出口はシャッター６によって外部と遮断されるので、その引出口からの塵やほこりの吸い込みを防げる。これにより、光ディスク装置の高い信頼性を確保できる。
【００７７】
なお、ディスクトレー２０とシャッター６の内面との間には間隙が確保され、シャッター６はディスクトレー２０及びこれに装着されたディスク状記録媒体とは接触しない。
【００７８】
内部筐体１４３の底部であり情報処理装置１の底部でもある内部筐体１４３の底板部１４６には台座８が設けられている。台座８は、箱形形状の主台座１４とと、主台座１４の底面に取り付けられた補助台座５とからなる。主台座１４の底面の面積は内部筐体１４３の底板部１４６の面積より小さいが、補助台座５の底面の面積が内部筐体１４３の底板部１４６の面積より大きいため、台座８全体として情報処理装置１を安定して設置面上に支持することができる。また、補助台座５の底面には複数の膨出部５ａが設けられており、滑り止めが図られている。
【００７９】
主台座１４はその内部に空洞部を有し、その空洞部と内部筐体１４３の内部空間とは内部筐体１４３の底板部１４６によって仕切られている。
【００８０】
主台座１４の空洞部は、内部筐体１４３の内部空間へと外気を取り入れるための空気の通り道としても利用されている。すなわち、主台座１４の４つの側面にはスリット状の吸気用開口１５が形成され、その吸気用開口１５は主台座１４の空洞部及び底板部１４６に形成された開口１５５、１５６、１５７、１５８、１５９、１６０、１６１を介して、内部筐体１４３の内部空間と連通している。
【００８１】
内部筐体１４３の内部空間には、後述するようにファンが配設され、そのファンによって、外気は上記吸気用開口１５、主台座１４の空洞部、開口１５５、１５６、１５７、１５８、１５９、１６０、１６１を介して、内部筐体１４３の内部空間に吸い込まれ、その内部空間に配設された部品や機器を空冷する。このような構成とすることで、底板部１４６に吸気用開口を形成してもそれが設置面によって塞がれることなく情報処理装置１の底部からも吸気を行え空冷効率を高めることができる。
【００８２】
情報処理装置１は、その正面、背面、上面、底面、２つの側面の全てに吸排気用の開口が形成されている。図１８、１９に示すように、正面には吸気用開口が、上面には吸気用開口が、底面には吸気用開口が、左側面には吸気用開口と排気用開口が、右側面には吸気用開口が、背面には排気用開口が、それぞれ形成されている。情報処理装置１の６面全てを用いて筐体内部の換気を行うことで、換気効率を高めて、内蔵機器や部品の空冷効果を高めることができる。
【００８３】
そして、内部筐体１４３の内部空間には例えば７個のファンｆ１〜ｆ７が配設されている。図１８、１９において示される矢印は各ファンｆ１〜ｆ７の吸い込み方向あるいは吐き出し方向を示す。
【００８４】
正面について具体的に説明すると、外部筐体２の前板部２ａにおいて外装部材４の前板部４ａによって隠れている下半分ほどの部分には、図１０、１１、１７にその一部が示されるように多数の小孔状の吸気用開口５６が形成されている。外装部材４の前板部４ａは外部筐体２の前板部２ａとの間に間隙を形成して向き合わされており、外気はその間隙の上端部及び下端部から間隙に入り込んで吸気用開口５６に吸い込まれる。
【００８５】
図１４に示す内部筐体１４３において外部筐体２の前板部２ａに向き合われる部分には壁がなく、吸気用開口５６に吸い込まれた空気は、そのまま内部筐体１４３の内部空間に入り、内蔵部品や機器を空冷する。
【００８６】
このように正面では、外装部材４に覆われて吸気用開口５６が露出されていないので、内部筐体１４３の内部空間に配設されたファンｆ１〜ｆ７の騒音が吸気用開口５６から直接使用者に対して放音されることを防いでいる。すなわち、外装部材４は遮音板として機能している。また、外装部材４はその表面が例えば鏡面仕上げされて美観を有する体裁板としても機能している。
【００８７】
上面については、外部筐体３の上板部３ｂに多数の小孔状の吸気用開口が形成され、その吸気用開口から吸い込まれた空気は内部筐体１４３の上板部１４４に形成された吸気用開口１６７を通って内部筐体１４３の内部空間に入り、内蔵部品や機器を空冷する。
【００８８】
図１において向かって見て右側面については、外部筐体３の側板部３ｄに多数の小孔状の吸気用開口が形成されており、その吸気用開口から吸い込まれた空気は内部筐体１４３の側板部１４７に形成された吸気用開口１６６を通って内部筐体１４３の内部空間に入り、内蔵部品や機器を空冷する。
【００８９】
図５において向かって見て左側面については、外部筐体３の側板部３ｃに多数の小孔状の吸気用開口が形成されており、その吸気用開口から吸い込まれた空気は内部筐体１４３の側板部１４５に形成された吸気用開口１５１を通って内部筐体１４３の内部空間に入り、内蔵部品や機器を空冷する。また、扉２５の背面寄りの部分３４に多数の小孔状の排気用開口が形成されており、この排気用開口及び内部筐体１４３の側板部１４８に形成された排気用開口１５３、１５４を介して、上述の吸気用開口から内部筐体１４３の内部空間に吸い込まれて各種部品や機器の空冷に用いられた空気が、情報処理装置１の外部に排気される。
【００９０】
底面については、上述したように、外気は主台座１４の側面に形成された吸気用開口１５、主台座１４の空洞部、内部筐体１４３の底板部１４６に形成された開口１５５、１５６、１５７、１５８、１５９、１６０、１６１を介して、内部筐体１４３の内部空間に吸い込まれ、その内部空間に配設された部品や機器を空冷する。
【００９１】
背面については、内部筐体１４３の背板部１７２に形成された開口１５２、１６５、１６４、１６３及び外部筐体３の背板部３ａに形成された開口３９、４０、３８を介して、上述の吸気用開口から内部筐体１４３の内部空間に吸い込まれて各種部品や機器の空冷に用いられた空気が、情報処理装置１の外部に排気される。
【００９２】
内蔵部品や機器が発する熱を空冷によって放熱させるためには、筐体内部の空気が十分に換気されることが重要である。しかしながら、単位時間あたりの換気量を大きく確保しようとすれば吸気速度が大きくなり塵埃が筐体内部に持ち込まれやすいという問題も発生する。
【００９３】
そこで本実施形態では、上述したように正面、上面、底面、左右の側面の５面に吸気用開口を形成し、背面に形成された排気用開口面積に対して十分に大きな吸気用開口面積を確保している。その結果、吸気速度をそれほど大きくすることなく内蔵機器の空冷に十分な換気を行え、塵埃の筐体内部への吸い込みを抑制できる。
【００９４】
以上、本発明の実施形態について説明したが、勿論、本発明はこれに限定されることなく、本発明の技術的思想に基づいて種々の変形が可能である。
【００９５】
扉２５は、凹状段部の上部端縁部に取り付けでもよい。また、シャッター６は左右方向にスライド移動して凹所２１を開閉するようにしてもよい。また、光ディスク本体を筐体２の前板部２ａの下半分の領域に配置して、ディスクトレー２０が前板部２ａの上半分の領域に向かって引き出されるようにしてもよい。
【図面の簡単な説明】
【００９６】
【図１】本発明の情報処理装置の斜視図である。
【図２】同情報処理装置の正面図である。
【図３】同情報処理装置の上面図である。
【図４】図１とは反対側から見た斜視図である。
【図５】同情報処理装置の右側面側から見た斜視図である。
【図６】上記右側面の配線接続部の拡大斜視図である。
【図７】扉取付部の拡大斜視図である。
【図８】扉の拡大斜視図である。
【図９】同情報処理装置の左側面側から見た斜視図である。
【図１０】上記左側面の要部拡大斜視図である。
【図１１】図１０の状態からスライドドアが開かれた状態を示す図である。
【図１２】上記左側面に取り付けられるドアガイド及びスライドドアの下面図である。
【図１３】図１２の状態からスライドドアが開かれた状態を示す図である。
【図１４】内部筐体の斜視図である。
【図１５】上記内部筐体に補助取付具が取り付けられた状態の拡大斜視図である。
【図１６】上記情報処理装置の一面に設けられたシャッターが開かれた状態の斜視図である。
【図１７】補助台座を取り外した状態の情報処理装置を底面側から見た斜視図である。
【図１８】情報処理装置内部のファンの配置、及び正面、左右の側面、上面、底面それぞれの吸排気口形成領域を示す図である。
【図１９】背面の排気口形成領域を示す図である。
【図２０】従来例の情報処理装置の模式図である。
【符号の説明】
【００９７】
１…情報処理装置、２…外部筐体、３…外部筐体、４…外装部材、６…シャッター、８…台座、１５…吸気用開口、２０…ディスクトレー、２１…凹所、２５…扉、２７…配線接続板、２８…ケーブルガイド、３１…ケーブル、１４３…内部筐体、２６０…開口。
【図１】
2005303118.tif 000003
【図２】
2005303118.tif 000004
【図３】
2005303118.tif 000005
【図４】
2005303118.tif 000006
【図５】
2005303118.tif 000007
【図６】
2005303118.tif 000008
【図７】
2005303118.tif 000009
【図８】
2005303118.tif 000010
【図９】
2005303118.tif 000011
【図１０】
2005303118.tif 000012
【図１１】
2005303118.tif 000013
【図１２】
2005303118.tif 000014
【図１３】
2005303118.tif 000015
【図１４】
2005303118.tif 000016
【図１５】
2005303118.tif 000017
【図１６】
2005303118.tif 000018
【図１７】
2005303118.tif 000019
【図１８】
2005303118.tif 000020
【図１９】
2005303118.tif 000021
【図２０】
2005303118.tif 000022